(57)【要約】【課題】液晶ディスプレイへの表示内容が覗き見されることを確実に阻止できる覗き見阻止機能付き液晶ディスプレイ構造の提供。【解決手段】液晶ガラスパネルと背面偏光板と反射板と前面偏光板とを少なくとも備えてタッチパネル機能を有することなく形成される液晶ディスプレイ２４のうち、前面偏光板３１は、液晶ディスプレイ２４側から分離独立させた着脱側偏光板３２として別途用意され、該着脱側偏光板３２は、液晶ガラスパネルを構成して表面側に露呈配置される一側ガラス基板２５ａ側への覆設を自在とすべく、液晶ディスプレイ２４側との間に形成される着脱手段３５を介して着脱自在に配置することで、液晶ディスプレイ２４に従来どおりに画面表示する通常表示パターンと覗き見を阻止して画面表示するシークレット表示パターンとの二通りの切り替え表示を可能とした。【選択図】図１
0003224048.tif 000002
【実用新案登録請求の範囲】
【請求項１】
液晶ガラスパネルと、該液晶ガラスパネルの後面側に配置される背面偏光板と、該背面偏光板の後面側に配置される反射板と、前記液晶ガラスパネルの表面側に配置される前面偏光板とを少なくとも備えてタッチパネル機能を有することなく形成される液晶ディスプレイのうち、前記前面偏光板は、前記液晶ディスプレイ側から分離独立させた着脱側偏光板として別途用意され、
該着脱側偏光板は、前記液晶ガラスパネルを構成して表面側に露呈配置される一側ガラス基板側への覆設を自在とすべく、前記液晶ディスプレイ側との間に形成される着脱手段を介して着脱自在に配置して、液晶ディスプレイに従来どおりに画面表示する通常表示パターンと覗き見を阻止して画面表示するシークレット表示パターンとの二通りの切り替え表示を可能としたことを特徴とする覗き見阻止機能付き液晶ディスプレイ構造。
【請求項２】
前記着脱手段は、前記着脱側偏光板と前記一側ガラス基板側との間に磁着機能と掛止機能とを付与して形成した請求項１に記載の覗き見阻止機能付き液晶ディスプレイ構造。
【請求項３】
前記着脱手段は、前記着脱側偏光板と前記一側ガラス基板側との間に磁着機能を付与して形成した請求項１に記載の覗き見阻止機能付き液晶ディスプレイ構造。
【請求項４】
前記着脱手段は、前記着脱側偏光板と前記一側ガラス基板側との間に介在させた面ファスナーにより面着機能を付与して形成した請求項１に記載の覗き見阻止機能付き液晶ディスプレイ構造。
【請求項５】
前記着脱手段は、前記着脱側偏光板に対し前記液晶ディスプレイの上縁部側への掛止が自在な上掛け機能を付与して形成した請求項１に記載の覗き見阻止機能付き液晶ディスプレイ構造。
【考案の詳細な説明】
【技術分野】
【０００１】
本考案は、動作中の液晶ディスプレイへの表示内容が他人により覗き見されることを確実に阻止することができる覗き見阻止機能付き液晶ディスプレイ構造に関する技術である。
【背景技術】
【０００２】
広く普及しているノートブック型パソコンや液晶テレビなどのような液晶ディスプレイ付き電子機器については、液晶ディスプレイの表示画面を操作者や視聴者が目視確認することで必要とする表示情報を取得することができるようになっている。
【０００３】
すなわち、図５および図６を参照して液晶ディスプレイ付き電子機器について従来タイプのノートブック型パソコンを例に説明すれば、ノートブック型パソコン１は、キーボード３が配設されてなる入力操作部２と、液晶ディスプレイ５を備えて入力操作部２側と二つ折り自在に連結されてなる液晶表示部４とを少なくとも備えてその全体が構成されている。
【０００４】
そして、ノートブック型パソコン１の液晶表示部４が備える液晶ディスプレイ５は、液晶ガラスパネル６と、該液晶ガラスパネル６の後面側に配置される背面偏光板７と、該背面偏光板７の後面側に配置される反射板８と、液晶ガラスパネル６の表面側に配置される前面偏光板９とが一体的に組み合わされてその全体が形成されている。
【０００５】
この場合、ノートブック型パソコン１を電源オン状態とした動作時には、液晶ディスプレイ５への各種の表示情報を前面偏光板９を通して操作者が目視確認することができるのはもとより、操作者以外の第三者が横方向や、やや離れた後方からも簡単に覗き見することができることになる。
【０００６】
このため、ノートブック型パソコン１を電源オン状態とした動作時には、操作者以外の第三者が横方向や、やや離れた後方から液晶ディスプレイ５を覗き見できる状態を放置するとき、機密保持されるべき表示情報の漏洩を阻止することができなくなるという問題があった。
【０００７】
このような問題を解決するための覗き見防止手法のひとつには、液晶ディスプレイ５にシートやフイルムで形成されている覗き見防止体を貼着するようにしたものがある。しかし、このようなシートやフイルムで形成されている覗き見防止体を使用するには、第三者による横方向からの覗き見をある程度防止することはできるものの、後方からの覗き見には有効に対処できないばかりでなく、画面が暗くなってしまう不具合もあった。
【０００８】
一方、後方からの覗き見にも有効に対処して全方位方向からの覗き見を阻止することができる従来手法としては、例えば特許文献１や特許文献２に開示されている先行技術がある。
【先行技術文献】
【特許文献】
【０００９】
【特許文献１】特開２００４−３０８３３７号公報
【特許文献２】特開２０１７−１９１２９３号公報
【００１０】
すなわち、特許文献１には、複数のロッカーと制御部とからなるロッカー装置と、該装置に使用される偏光フィルター付きの専用カードとで構成され、前記制御部が備える特殊表示画面は、動作中、肉眼では真っ白にしか見えないが、前記専用カードの偏光フィルターを通すとその表示内容をみることができるようにした「セキュリティシステム」が開示されている。
【００１１】
また、特許文献２には、ユーザが使用するユーザ端末と、該ユーザ端末と通信が可能に接続され、前記ユーザが装着する眼鏡端末とを備え、前記ユーザ端末は、覗き見防止機能のオフ状態では、第１表示画面部に可視状態の元画面である第１画面を表示し、覗き見防止機能のオン状態では、前記第１表示画面部に前記第１画面に対応した不可視状態の第２画面を表示し、前記第２画面に対する入力を受け付け、前記眼鏡端末は、覗き見防止機能のオン状態では第２表示画面に前記第２画面の不可視状態を解除するための第３画面を表示し、前記眼鏡端末を装着している前記ユーザの眼に、前記第２画面と前記第３画面との重ね合わせにより前記第１画面の表示内容が可視状態となる第４画面を結像させるようにした「覗き見防止システム」が開示されている。
【考案の概要】
【考案が解決しようとする課題】
【００１２】
しかし、特許文献１の「セキュリティシステム」による場合は、後方からの覗き見防止にも対処することはできるものの、ゴルフ場などに設置されているロッカー装置および現金自動支払預入装置への適用というようにその用途が限定的であり、液晶ディスプレイを備える各種の電子機器には適用できない不都合があった。
【００１３】
また、特許文献２の「覗き見防止システム」による場合は、これも後方からの覗き見防止にも対処することはできるものの、システム構成が複雑であるためにその構築に多大な時間とコストとを要するほか、システム導入後のメンテナンスも必要となるなどの煩雑さもある不具合があった。
【００１４】
本考案は、従来技術にみられた上記課題に鑑みてなされたものであり、液晶ディスプレイを備える各種の電子機器への安価な適用やメンテナンスフリーを実現するなかで、動作中の液晶ディスプレイに従来と同じように画面表示する通常表示パターンと第三者に覗き見されることを確実に阻止して画面表示するシークレット表示パターンとの二通りの切り替え表示ができるようにした覗き見阻止機能付き液晶ディスプレイ構造を提供することをその目的とする。
【課題を解決するための手段】
【００１５】
本考案は、上記目的を達成すべくなされたものであり、液晶ガラスパネルと、該液晶ガラスパネルの後面側に配置される背面偏光板と、該背面偏光板の後面側に配置される反射板と、前記液晶ガラスパネルの表面側に配置される前面偏光板とを少なくとも備えてタッチパネル機能を有することなく形成される液晶ディスプレイのうち、前記前面偏光板は、前記液晶ディスプレイ側から分離独立させた着脱側偏光板として別途用意され、該着脱側偏光板は、前記液晶ガラスパネルを構成して表面側に露呈配置される一側ガラス基板側への覆設を自在とすべく、前記液晶ディスプレイ側との間に形成される着脱手段を介して着脱自在に配置して、液晶ディスプレイに従来どおりに画面表示する通常表示パターンと覗き見を阻止して画面表示するシークレット表示パターンとの二通りの切り替え表示を可能としたことを最も主要な特徴とする。
【００１６】
この場合、前記着脱手段は、前記着脱側偏光板と前記一側ガラス基板側との間に磁着機能と掛止機能とを付与して形成したり、前記着脱側偏光板と前記一側ガラス基板側との間に磁着機能を付与して形成したり、前記着脱側偏光板と前記一側ガラス基板側との間に介在させた面ファスナーにより面着機能を付与して形成したり、前記着脱側偏光板に対し前記液晶ディスプレイの上縁部側への掛止が自在な上掛け機能を付与して形成したりすることができる。
【考案の効果】
【００１７】
請求項１に係る考案によれば、第三者による覗き見を気にすることなく液晶ディスプレイ付き電子機器を動作させる際には、前面偏光板としての着脱側偏光板を液晶表示部側に取り付けることにより、従来タイプの液晶ディスプレイ付き電子機器と同様に、その液晶ディスプレイに所望する必要情報を従来と同様に通常表示パターンのもとで表示してその内容を目視確認することができる。
【００１８】
一方、機密保持の観点から第三者による覗き見を阻止しながら液晶ディスプレイ付き電子機器を動作させる際には、前面偏光板としての着脱側偏光板を液晶表示部側から取り外した上で、操作者が前面偏光板と同じ偏光特性を示す偏光グラスを装着することにより、画面が暗くならない状態のもとで横や後方にいる第三者に覗き見されることなく該操作者のみがシークレット表示パターンのもとで液晶ディスプレイに表示されている必要情報を安心して目視確認することができる。つまり、本考案によれば、液晶ディスプレイに従来どおりに画面表示する通常表示パターンと覗き見を阻止して画面表示するシークレット表示パターンとの二通りに切り替え表示する使い分けができることになる。
【００１９】
特に、液晶ディスプレイ付き電子機器が中古品である場合は、その液晶ディスプレイ側から事後的に前面偏光板を単に取り外すのみで、覗き見を確実に阻止できるメンテナンスフリーの覗き見阻止機能付き液晶ディスプレイ構造を備えた電子機器として安価に提供することができる。
【００２０】
請求項２に係る考案によれば、着脱手段は、着脱側偏光板と一側ガラス基板側との間に磁着機能と掛止機能とを付与して形成されているので、着脱側偏光板を一側ガラス基板側に磁着力と掛止力とを介して取り付けることができ、したがって、その取り付け状態を確実・安定化したものとすることができる。
【００２１】
請求項３に係る考案によれば、着脱手段は、着脱側偏光板と一側ガラス基板側との間に磁着機能を付与するのみで形成されているので、それだけ着脱作業を簡易・迅速に遂行することができる。
【００２２】
請求項４に係る考案によれば、着脱手段は、着脱側偏光板と一側ガラス基板側との間に介在させた面ファスナーにより面着機能を付与して形成されているので、着脱構造を簡素化するなかで着脱側偏光板の止着状態をより確実なものとすることができる。
【００２３】
請求項５に係る考案によれば、着脱手段は、着脱側偏光板に対し液晶ディスプレイの上縁部側への掛止が自在な上掛け機能を付与して形成されているので、着脱側偏光板を液晶ディスプレイの上縁部側に単に上掛けすることで取り付けることができるほか、その上掛け状態を単に解消することのみで簡単に取り外すことができる。
【図面の簡単な説明】
【００２４】
【図１】本考案が適用される液晶ディスプレイ付き電子機器がノートブック型パソコンである場合を例にその構成の概要例を示す全体斜視図。
【図２】図１における液晶ディスプレイの構成例を分解して示す斜視図。
【図３】図１に示す本考案の使用状態時の一例を示す全体斜視図。
【図４】図１に示す本考案の使用状態時の他例を示す全体斜視図。
【図５】従来からある液晶ディスプレイ付き電子機器がノートブック型パソコンである場合を例にその構成の概要例を示す全体斜視図。
【図６】図５における液晶ディスプレイの構成例を分解して示す斜視図。
【考案を実施するための形態】
【００２５】
本考案は、液晶テレビやパソコン等の各種の液晶ディスプレイ付き電子機器が備えるタッチパネル機能を有しない液晶ディスプレイに適用して実施されるものである。図１は、適用される液晶ディスプレイ付き電子機器がノートブック型パソコンである場合を例にその構成の概要例を示す全体斜視図であり、図２は、図１における液晶ディスプレイの構成例を分解して示す斜視図である。
【００２６】
すなわち、液晶ディスプレイ付き電子機器１１のひとつであるノートブック型パソコン１２は、キーボード１４が配設されてなる入力操作部１３と、液晶ディスプレイ２４を備えて入力操作部１３側と二つ折り自在に連結されてなる液晶表示部２３とを少なくとも備えてその全体が構成されている。
【００２７】
そして、ノートブック型パソコン１２の液晶表示部２３が備える液晶ディスプレイ２４は、液晶ガラスパネル２５と、該液晶ガラスパネル２５の後面側に配置される背面偏光板２６と、背面偏光板２６の後面側に配置される反射板２７と、液晶ガラスパネル２５の表面側に配置される前面偏光板３１とを少なくとも備えて構成されており、その部材構成は図６に示す従来タイプの液晶ディスプレイ５と同様である。
【００２８】
しかし、本考案における液晶ディスプレイ２４は、液晶ガラスパネル２５と背面偏光板２６と反射板２７とが一体的に組み立てられており、前面偏光板３１のみが液晶ディスプレイ２４側から分離独立させた着脱側偏光板３２として別途用意される点で、図６に示す従来タイプの液晶ディスプレイ５とは異なる構成が採用されている。
【００２９】
また、このようにして液晶ディスプレイ２４側から分離独立されている前面偏光板３１としての着脱側偏光板３２は、液晶ガラスパネル２５を構成して表面側に露呈配置される一側ガラス基板２５ａ側への覆設を自在とすべく、液晶ディスプレイ２４側との間に形成される着脱手段３５を介して着脱自在に配置されている。
【００３０】
図１には、この場合における着脱側偏光板３２と液晶ディスプレイ２４側との間に形成される着脱手段３５の一例が示されている。同図によれば、着脱手段３５は、液晶表示部２３の下側辺２３ｂ側の左側部位と右側部位と両者の中間部位との計３箇所に付設された受け止め用の掛止片３６により付与される掛止機能と、上側辺２３ｂの左寄り部位と右寄り部位との計２箇所に付設されたゴム磁石等からなる適宜の磁石片３７と、着脱側偏光板３２の裏面側にあって上側辺２３ｂの各磁石片３７との対面部位に付設された鉄片等の適宜の磁性片３８とで付与される磁着機能とを付与することで形成されている。この場合、受け止め用の掛止片３６は、液晶表示部２３の上側辺側に、磁石片３７は、液晶表示部２３の下側辺側にそれぞれ付設し、磁性片３８は、前面偏光板３１の下縁部３２ａの裏面側に付設するものであってもよい。
【００３１】
また、着脱手段３５については、図示は省略してあるが、例えば液晶ディスプレイ２４の適宜位置の周面に付設された複数の磁石片３７と、着脱側偏光板３２の裏面側にあってこれら磁石片３７の付設箇所とは対面する部位に付設された複数個の磁性片３８とで磁着機能のみを付与することで形成してもよい。この場合、磁石片３７は、前面偏光板３１側の対応部位に、磁性片３８は、液晶ディスプレイ２４側の対応部位にそれぞれ付設するものであってもよい。
【００３２】
さらに、着脱手段３５は、着脱側偏光板３２と一側ガラス基板２５ａ側との間に介在させた図示しない面ファスナー（いずれか一方側に付設されるフックテープ部と他方側に付設されるループテープ部とで構成）により面着機能を付与して形成することもできる。
【００３３】
さらにまた、着脱手段３５は、液晶ディスプレイ２４の上縁部側への掛止が自在な上掛け機能を付与するための図示しないフックなどを着脱側偏光板３２の上縁部３２ｂに付設して形成してもよい。
【００３４】
次に、上記構成からなる本考案の作用・効果を図示例に基づいて説明すれば、前面偏光板３１としての着脱側偏光板３２を図４に示すように着脱手段３５を介して液晶表示部２３側に取り付けることなくノートブック型パソコン１２を電源オン状態とした動作時には、液晶ガラスパネル２５を構成して表面側に露呈している一側ガラス基板２５ａを通して画面の全面が白く見えるだけで、現に画面表示されている必要情報を操作者はもとより第三者も目視確認することは一切できない状態となる。
【００３５】
一方、第三者による覗き見を気にすることなくノートブック型パソコン１２を動作させる際には、図３に示すように前面偏光板３１としての着脱側偏光板３２を液晶表示部２３側に着脱手段３５を介して取り付けることにより、図５に示す従来タイプのノートブック型パソコン１と同様に、その液晶ディスプレイ２４に所望する必要情報を画面表示してその内容を目視確認しながら操作作業を続けることができる。
【００３６】
つまり、液晶ディスプレイ２４には、図３に示すにように従来どおりに画面表示する通常表示パターンと、図４に示すように覗き見を阻止して画面表示するシークレット表示パターンとの二通りに切り替え表示する使い分けができることになる。
【００３７】
この場合における通常表示パターンは、液晶表示部２３側から分離独立した状態にある前面偏光板３１としての着脱側偏光板３２を適宜の着脱手段３５を介することで、つまり、図１に示す例によれば下側辺２３ａ側に付設されている各掛止片３６に上方からその下縁部３２ａを差し込んで掛止させた上で、上縁部３２ｂに付設されている磁性片３８を液晶表示部２３の上側辺２３ｂに付設されている磁石片３７に磁着させることで、図３に示すように液晶表示部２３側にその取り付け状態を確実・安定化したものとして着脱自在に取り付けることで実現できるできる。
【００３８】
この場合、着脱手段３５が着脱側偏光板３２と一側ガラス基板２５ａ側との間に生成される磁着機能としてのみ形成されている場合には、それだけ着脱作業を簡易・迅速に遂行することができる。また、着脱手段３５が着脱側偏光板３２と一側ガラス基板２５ａ側との間に介在させた図示しない面ファスナーが生成する面着機能として形成されている場合には、その着脱構造を簡素化するなかで着脱側偏光板３２の止着状態をより確実なものとすることができる。さらに、着脱手段３５が着脱側偏光板３２に対し液晶ディスプレイ２４の上縁部側への掛止が自在な上掛け機能を付与して形成されている場合には、着脱側偏光板３２を液晶ディスプレイ２４の上縁部側に単に上掛けすることで取り付けることができるほか、その上掛け状態を単に解消することのみで簡単に取り外すことができことになるる。
【００３９】
このため、液晶ディスプレイ付き電子機器１１が例えば中古のノートブック型パソコン１２であるような場合には、その液晶ディスプレイ２４側から事後的に前面偏光板３１を単に取り外すのみで、覗き見を確実に阻止できるメンテナンスフリーの覗き見阻止機能付き液晶ディスプレイ構造を備えたせセキュリティー性に富む電子機器として安価に提供することができることになる。
【００４０】
一方、機密保持の観点から第三者による覗き見を阻止しながらノートブック型パソコン１２を動作させる際には、前面偏光板３１としての着脱側偏光板３２を液晶表示部２３側から上記取り付け手順と逆の手順を踏みながら取り外した上で、図４に示すように操作者が前面偏光板３１としての着脱側偏光板３２と同じ偏光特性を示す偏光グラス４１を装着することにより、該操作者のみが液晶ディスプレイ２４にシークレット表示パターンのもとで画面表示されている必要情報を目視確認しつつ、左右の横や後方にいる第三者に覗き見されることなく安心して操作作業を続けることができる。
【００４１】
以上は、本考案を図示例に基づいて説明したものであり、その具体的な内容はこれ限定されるものではない。例えば、図示例では、本考案が適用される液晶ディスプレイ付き電子機器１１をノートブック型パソコン１２を例にして説明しているが、タッチパネル機能なしの液晶ディスプレイ２４を備えているものでさえあれば、例えばパーソナルコンピュータや液晶テレビやＤＶＤプレイヤーなどを含む全ての電子機器に適用することができる。
【符号の説明】
【００４２】
１１  液晶ディスプレイ付き電子機器
１２  ノートブック型パソコン
１３  入力操作部
１４  キーボード
２３  液晶表示部
２３ａ  下側辺
２３ｂ  上側辺
２４  液晶ディスプレイ
２５  液晶ガラスパネル
２５ａ  一側ガラス基板
２６  背面偏光板
２７  反射板
３１  前面偏光板
３２  着脱側偏光板
３５  着脱手段
３６  掛止片
３７  磁石片
３８  磁着片
４１  偏光グラス
【図１】
0003224048.tif 000003
【図２】
0003224048.tif 000004
【図３】
0003224048.tif 000005
【図４】
0003224048.tif 000006
【図５】
0003224048.tif 000007
【図６】
0003224048.tif 000008